(57)【要約】【課題】床下通気口の大きさに制約されない床下換気扇の選定が可能であり、施工性のよい床下換気扇取付部材および床下換気装置を提供することを目的とする。【解決手段】建物の基礎１に設けられる床下通気口２の周縁近傍の屋内側壁面３に略Ｌ字状に形成される一端４を当接し、この一端４から床下通気口２内を通り屋外側に他端５を延設する床下通気口保持部材６と、この床下通気口保持部材６の他端５が挿通され、床下通気口２の周縁の屋外側壁面１２に当接して床下通気口２を跨ぐように橋渡しし、床下通気口保持部材６の他端５をうちわナット１３で螺合して締め付けることにより床下通気口２に固定される換気扇保持部材７とを備えた床下換気扇取付部材を構成したものである。【選択図】　図１
2004144331.tif 000002
【特許請求の範囲】
【請求項１】
建物の基礎に設けられる床下通気口の周縁近傍の屋内側壁面に一端が当接され、前記床下通気口内を通り屋外側に延設される他端が固定されて前記床下通気口に保持される床下通気口保持部材と、この床下通気口保持部材と連結され、前記床下通気口を跨ぐように前記基礎の屋外側壁面に当接されて固定されるとともに、前記床下通気口の屋外側に突出する床下換気扇を支持する換気扇支持部材とを備えたことを特徴とする床下換気扇取付部材。
【請求項２】
建物の基礎に設けられる床下通気口の周縁近傍の屋内側壁面に一端が当接され、他端が前記床下通気口内に配置される屋内側保持部材と、前記床下通気口を跨ぐように前記基礎の屋外側壁面に当接されて屋外で床下換気扇を支持する換気扇支持部材と、この換気扇支持部材を前記床下通気口の屋外側に固定するために、前記屋内側保持部材と前記換気扇支持部材の間に介在し、前記床下通気口内で前記屋内側保持部材と連結され、屋外側で換気扇支持部材と連結される連結部材とを備えたことを特徴とする床下換気扇取付部材。
【請求項３】
一端が換気扇支持部材に摺動可能に保持され、他端が前記一端の摺動に連動して開閉する突っ張り片を交差させて床下通気口保持部材を形成し、前記換気扇支持部材に取り付けられ前記床下通気口の屋外側から緩締操作する通気口固定調整ボルトを操作することにより、前記突っ張り片の前記一端が外方に広がるとともに、前記他端が外方に開いて前記床下通気口周縁を押し広げる力により床下通気口保持部材が床下通気口に固定されることを特徴とする請求項１記載の床下換気扇取付部材。
【請求項４】
建物の基礎に設けられる床下通気口の内壁面を押圧する力の調整自在な突っ張り部材と、前記床下通気口内に固定される突っ張り部材と連結され、前記床下通気口を跨ぐように前記基礎の屋外側壁面に当接されて固定されるとともに、前記床下通気口の屋外側に突出する床下換気扇を支持する換気扇支持部材とを備えたことを特徴とする床下換気扇取付部材。
【請求項５】
突っ張り部材は、雌ねじ部を有する回動操作部と、この回動操作部を回動することで前記雌ねじ部と螺合しながら互いに突っ張り方向または反突っ張り方向に移動し伸縮量が調整できる押圧脚とで構成される請求項４記載の床下換気扇取付部材。
【請求項６】
突っ張り部材は、換気扇支持部材に連結され床下通気口内の下面と当接する当て金具と、回動することにより前記床下通気口内の上面の押圧力を調整できるボルトが螺合される雌ねじ部を有するボルト支持金具とで構成される請求項４記載の床下換気扇取付部材。
【請求項７】
突っ張り部材は、換気扇支持部材に連結されて床下通気口内の下面と当接する当て金具と、対向する２辺を前後に位置させこの２辺間の水平部を床下通気口内の上面に位置させるように設けたバネ性を有する板材からなるコの字形状の取付金具と、この取付金具の前記対向する２辺の前脚部および後脚部に挿入して前後方向に移動自在に設け、前記床下通気口の屋外側から回転することにより前記水平部を外方に湾曲させ前記床下通気口内壁面を押圧する操作ボルトとで構成される請求項４記載の床下換気扇取付部材。
【請求項８】
建物の基礎に設けられる床下通気口の周縁近傍の屋内側壁面に一端が当接され、前記床下通気口内を通り屋外側に延設される他端が固定されて前記床下通気口に保持される床下通気口保持部材と、この床下通気口保持部材に連結され、前記床下通気口を跨ぐように前記基礎の屋外側壁面に当接されて固定される換気扇支持部材と、内部に送風手段を設け前記床下通気口より大きいフード部を有する床下換気扇本体とを備え、前記床下換気扇本体を前記床下通気口の屋外側に突出させて前記換気扇支持部材に取り付けることを特徴とする床下換気装置。
【請求項９】
建物の基礎に設けられる床下通気口の周縁近傍の屋内側壁面に一端が当接され、他端が前記床下通気口内に配置される屋内側保持部材と、前記床下通気口を跨ぐように前記基礎の屋外側壁面に当接される換気扇支持部材と、この換気扇支持部材を前記床下通気口の屋外側に固定するために、前記屋内側保持部材と前記換気扇支持部材の間に介在し、前記床下通気口内で前記屋内側保持部材と連結され、屋外側で換気扇支持部材と連結される連結部材と、内部に送風手段を設け前記床下通気口より大きいフード部を有する床下換気扇本体とを備え、前記床下換気扇本体を前記床下通気口の屋外側に突出させて前記換気扇支持部材に取り付けることを特徴とする床下換気装置。
【請求項１０】
一端側が９０度または鋭角の角度を形成する床下通気口保持部材の他端側に形成した雄ねじ部を、換気扇支持部材に形成した開孔に通してナットで仮止めし、一体となった床下通気口保持部材および換気扇支持部材を床下通気口内に屋外側から挿入し、前記床下通気口保持部材の一端側を前記床下通気口周縁の屋内側壁面に当接させるとともに前記換気扇支持部材を前記床下通気口を跨ぐように屋外側壁面に当接させた状態で、前記雄ねじ部に螺合するナットを締め付けて、建物の基礎を前記床下通気口保持部材の一端側と前記換気扇部材で挟み込んで前記換気扇支持部材を前記屋外側壁面に固定し、前記換気扇支持部材に形成した取付ねじ孔に屋外から床下換気扇本体を取付ねじ等により螺合して取り付ける床下換気装置の取付方法。
【請求項１１】
一端側が９０度または鋭角の角度を形成する屋内側保持部材の他端側に形成した雄ねじ部を、連結部材の一方に形成した開孔に通してナットで仮止めし、前記連結部材の他方をボルト等により換気扇支持部材に取り付け、一体となった屋内側保持部材、連結部材、および換気扇支持部材を床下通気口内に屋外側から挿入し、前記屋内側保持部材の一端側を前記床下通気口周縁の屋内側壁面に当接させるとともに前記換気扇支持部材を前記床下通気口を跨ぐように屋外側壁面に当接させた状態で、前記雄ねじ部に螺合するナットを締め付けて、建物の基礎を前記屋内側保持部材の一端側と前記換気扇支持部材で挟み込んで前記換気扇支持部材を前記屋外側壁面に固定し、前記換気扇支持部材に形成した取付ねじ孔に屋外から床下換気扇本体を取付ねじ等により螺合して取り付ける床下換気装置の取付方法。
【発明の詳細な説明】
【０００１】
【発明の属する技術分野】
本発明は、建物の基礎に設けられる床下通気口の屋外側から床下換気扇を取り付けるための床下換気扇取付部材および床下換気装置に関する。
【０００２】
【従来の技術】
従来の床下換気扇取付部材および床下換気装置は、建物の基礎に開設した床下通気口内に設けられる床下換気扇を、床下通気口の上下内面に圧接する突っ張り手段で支持し、床下通気口の屋外側に排気口を有する化粧パネルを床下換気扇に取り付けたものであった（例えば、特許文献１参照。）。
【０００３】
【特許文献１】
特開平９−７２５９４号公報（第１図および第３図）
【０００４】
【発明が解決しようとする課題】
以上のように従来の床下換気扇取付部材および床下換気装置は、床下通気口内に床下換気扇を収納し支持するものであるので、一定以上の大きさの床下通気口でなければ、床下換気扇の取り付けができず、当該床下換気扇が収納できる程度の大きさに床下通気口を拡張する工事が必要になるという課題があった。また、床下通気口の大きさによって使用できる床下換気扇の大きさに制約を受けるので、所定の換気風量を満たす床下換気装置を選定できないという課題があった。また、床下通気口が床下換気扇の大きさに比べて十分に大きい場合であっても、箱体である床下換気扇本体が床下通気口内にあるため、施工するものが手などを床下通気口内に入れて作業するのに障害となり、施工性が極めて悪いという課題があった。
【０００５】
本発明はこのような従来の課題を解決するものであり、既存の床下通気口を拡張する工事を必要とせず、床下通気口の大きさに制約されない床下換気扇の選定が可能であり、施工性のよい床下換気扇取付部材を用いた床下換気装置を提供することを目的とする。
【０００６】
【課題を解決するための手段】
前記従来の課題を解決するために、本発明の床下換気扇取付部材は、建物の基礎に設けられる床下通気口の周縁近傍の屋内側壁面に一端が当接され、前記床下通気口内を通り屋外側に延設される他端が固定されて前記床下通気口に保持される床下通気口保持部材と、この床下通気口保持部材と連結され、前記床下通気口を跨ぐように前記基礎の屋外側壁面に当接されて固定されるとともに、前記床下通気口の屋外側に突出する床下換気扇を支持する換気扇支持部材とを備えたことを特徴とするものである。
【０００７】
また、本発明の床下換気扇取付部材は、建物の基礎に設けられる床下通気口の周縁近傍の屋内側壁面に一端が当接され、他端が前記床下通気口内に配置される屋内側保持部材と、前記床下通気口を跨ぐように前記基礎の屋外側壁面に当接されて屋外で床下換気扇を支持する換気扇支持部材と、この換気扇支持部材を前記床下通気口の屋外側に固定するために、前記屋内側保持部材と前記換気扇支持部材の間に介在し、前記床下通気口内で前記屋内側保持部材と連結され、屋外側で換気扇支持部材と連結される連結部材とを備えたことを特徴とするものである。
【０００８】
また、本発明の床下換気扇取付部材は、一端が換気扇支持部材に摺動可能に保持され、他端が前記一端の摺動に連動して開閉する突っ張り片を交差させて床下通気口保持部材を形成し、前記換気扇支持部材に取り付けられ前記床下通気口の屋外側から緩締操作する通気口固定調整ボルトを操作することにより、前記突っ張り片の前記一端が外方に広がるとともに、前記他端が外方に開いて前記床下通気口周縁を押し広げる力により床下通気口保持部材が床下通気口に固定されることを特徴とするものである。
【０００９】
また、本発明の床下換気扇取付部材は、建物の基礎に設けられる床下通気口の内壁面を押圧する力の調整自在な突っ張り部材と、前記床下通気口内に固定される突っ張り部材と連結され、前記床下通気口を跨ぐように前記基礎の屋外側壁面に当接されて固定されるとともに、前記床下通気口の屋外側に突出する床下換気扇を支持する換気扇支持部材とを備えたことを特徴としたものである。
【００１０】
また、本発明の床下換気扇取付部材は、突っ張り部材は、雌ねじ部を有する回動操作部と、この回動操作部を回動することで前記雌ねじ部と螺合しながら互いに突っ張り方向または反突っ張り方向に移動し伸縮量が調整できる押圧脚とで構成されるものである。
【００１１】
また、本発明の床下換気扇取付部材は、突っ張り部材は、換気扇支持部材に連結され床下通気口内の下面と当接する当て金具と、回動することにより前記床下通気口内の上面の押圧力を調整できるボルトが螺合される雌ねじ部を有するボルト支持金具とで構成されるものである。
【００１２】
また、本発明の床下換気扇取付部材は、突っ張り部材は、換気扇支持部材に連結されて床下通気口内の下面と当接する当て金具と、対向する２辺を前後に位置させこの２辺間の水平部を床下通気口内の上面に位置させるように設けたバネ性を有する板材からなるコの字形状の取付金具と、この取付金具の前記対向する２辺の前脚部および後脚部に挿入して前後方向に移動自在に設け、前記床下通気口の屋外側から回転することにより前記水平部を外方に湾曲させ前記床下通気口内壁面を押圧する操作ボルトとで構成されるものである。
【００１３】
また、本発明の床下換気装置は、建物の基礎に設けられる床下通気口の周縁近傍の屋内側壁面に一端が当接され、前記床下通気口内を通り屋外側に延設される他端が固定されて前記床下通気口に保持される床下通気口保持部材と、この床下通気口保持部材に連結され、前記床下通気口を跨ぐように前記基礎の屋外側壁面に当接されて固定される換気扇支持部材と、内部に送風手段を設け前記床下通気口より大きいフード部を有する床下換気扇本体とを備え、前記床下換気扇本体を前記床下通気口の屋外側に突出させて前記換気扇支持部材に取り付けることを特徴とするものである。
【００１４】
また、本発明の床下換気装置は、建物の基礎に設けられる床下通気口の周縁近傍の屋内側壁面に一端が当接され、他端が前記床下通気口内に配置される屋内側保持部材と、前記床下通気口を跨ぐように前記基礎の屋外側壁面に当接される換気扇支持部材と、この換気扇支持部材を前記床下通気口の屋外側に固定するために、前記屋内側保持部材と前記換気扇支持部材の間に介在し、前記床下通気口内で前記屋内側保持部材と連結され、屋外側で換気扇支持部材と連結される連結部材と、内部に送風手段を設け前記床下通気口より大きいフード部を有する床下換気扇本体とを備え、前記床下換気扇本体を前記床下通気口の屋外側に突出させて前記換気扇支持部材に取り付けることを特徴とするものである。
【００１５】
また、本発明の床下換気装置の取付方法は、一端側が９０度または鋭角の角度を形成する床下通気口保持部材の他端側に形成した雄ねじ部を、換気扇支持部材に形成した開孔に通してナットで仮止めし、一体となった床下通気口保持部材および換気扇支持部材を床下通気口内に屋外側から挿入し、前記床下通気口保持部材の一端側を前記床下通気口周縁の屋内側壁面に当接させるとともに前記換気扇支持部材を前記床下通気口を跨ぐように屋外側壁面に当接させた状態で、前記雄ねじ部に螺合するナットを締め付けて、建物の基礎を前記床下通気口保持部材の一端側と前記換気扇部材で挟み込んで前記換気扇支持部材を前記屋外側壁面に固定し、前記換気扇支持部材に形成した取付ねじ孔に屋外から床下換気扇本体を取付ねじ等により螺合して取り付けるものである。
【００１６】
また、本発明の床下換気装置の取付方法は、一端側が９０度または鋭角の角度を形成する屋内側保持部材の他端側に形成した雄ねじ部を、連結部材の一方に形成した開孔に通してナットで仮止めし、前記連結部材の他方をボルト等により換気扇支持部材に取り付け、一体となった屋内側保持部材、連結部材、および換気扇支持部材を床下通気口内に屋外側から挿入し、前記屋内側保持部材の一端側を前記床下通気口周縁の屋内側壁面に当接させるとともに前記換気扇支持部材を前記床下通気口を跨ぐように屋外側壁面に当接させた状態で、前記雄ねじ部に螺合するナットを締め付けて、建物の基礎を前記屋内側保持部材の一端側と前記換気扇支持部材で挟み込んで前記換気扇支持部材を前記屋外側壁面に固定し、前記換気扇支持部材に形成した取付ねじ孔に屋外から床下換気扇本体を取付ねじ等により螺合して取り付けるものである。
【００１７】
【発明の実施の形態】
請求項１記載の床下換気扇取付部材の発明は、建物の基礎に設けられる床下通気口の周縁近傍の屋内側壁面に一端が当接され、前記床下通気口内を通り屋外側に延設される他端が固定されて前記床下通気口に保持される床下通気口保持部材と、この床下通気口保持部材と連結され、前記床下通気口を跨ぐように前記基礎の屋外側壁面に当接されて固定されるとともに、前記床下通気口の屋外側に突出する床下換気扇を支持する換気扇支持部材とを備えることにより、既存の床下通気口を拡張する工事を必要とせずそのまま利用できるので施工性がよく、床下通気口の大きさに制約されない所望の性能を有する床下換気扇を使用することができる。また、床下通気口保持部材が床下通気口の屋外側まで延設されているので、床下通気口の屋内側壁面にその一端を当接させて床下通気口保持部材を床下通気口に保持することが、床下通気口保持部材を床下通気口の屋外側で操作することで可能となり、施工する者が床下通気口の屋内側にまで手を伸ばす必要がなくなる。
【００１８】
請求項２記載の床下換気扇取付部材の発明は、建物の基礎に設けられる床下通気口の周縁近傍の屋内側壁面に一端が当接され、他端が前記床下通気口内に配置される屋内側保持部材と、換気扇支持部材を前記床下通気口の屋外側に固定するために、前記屋内側保持部材と前記換気扇支持部材の間に介在し、前記床下通気口内で前記屋内側保持部材と連結され、屋外側で換気扇支持部材と連結される連結部材とを備えたことにより、既存の床下通気口を拡張する工事を必要とせずそのまま利用できるので施工性がよく、床下通気口の大きさに制約されない所望の性能を有する床下換気扇を使用することができる。また、床下通気口内で屋内側保持部材を連結部材と連結するため、床下通気口が小さくても手を入れるだけのスペースがあれば床下換気扇取付部材の施工が可能であり、屋内側保持部材と連結部材の連結部分が床下通気口の屋外側に突出して床下換気扇の取付に障害となることがない。
【００１９】
請求項３記載の床下換気扇取付部材の発明は、特に請求項１記載の床下換気扇取付部材を、一端が換気扇支持部材に摺動可能に保持され、他端が前記一端の摺動に連動して開閉する突っ張り片を交差させて床下通気口保持部材を形成し、前記換気扇支持部材に取り付けられ前記床下通気口の屋外側から緩締操作する通気口固定調整ボルトを操作することにより、前記突っ張り片の前記一端が外方に広がるとともに、前記他端が外方に開いて前記床下通気口周縁を押し広げる力により床下通気口保持部材が床下通気口に固定される構成としたので、床下換気扇取付部材を床下通気口内に挿入し、換気扇支持部材を床下通気口の屋外側壁面に当接させた状態で床下通気口の屋外側から通気口固定調整ボルトを操作することで、床下換気扇取付部材を容易に床下通気口に保持することができる。
【００２０】
請求項４記載の床下換気扇取付部材の発明は、建物の基礎に設けられる床下通気口の内壁面を押圧する力の調整自在な突っ張り部材と、前記床下通気口内に固定される突っ張り部材と連結され、前記床下通気口を跨ぐように前記基礎の屋外側壁面に当接されて固定されるとともに、前記床下通気口の屋外側に突出する床下換気扇を支持する換気扇支持部材とを備えたことにより、突っ張り部材が床下通気口内にあるため、床下通気口が小さくても手を入れるだけのスペースがあれば床下換気扇取付部材の施工が可能である。
【００２１】
請求項５記載の床下換気扇取付部材の発明は、特に請求項４記載の床下換気扇取付部材について、突っ張り部材を、雌ねじ部を有する回動操作部と、この回動操作部を回動することで前記雌ねじ部と螺合しながら互いに突っ張り方向または反突っ張り方向に移動し伸縮量が調整できる押圧脚とで構成することにより、床下通気口の壁厚の制約を受けない床下換気扇取付部材が実現できる。
【００２２】
請求項６記載の床下換気扇取付部材の発明は、特に請求項４記載の床下換気扇取付部材について、突っ張り部材を、換気扇支持部材に連結され床下通気口内の下面と当接する当て金具と、回動することにより前記床下通気口内の上面の押圧力を調整できるボルトが螺合される雌ねじ部を有するボルト支持金具とで構成することにより、床下通気口の壁厚の制約を受けない床下換気扇取付部材が実現できる。
【００２３】
請求項７記載の床下換気扇取付部材の発明は、特に請求項４記載の床下換気扇取付部材について、突っ張り部材を、換気扇支持部材に連結されて床下通気口内の下面と当接する当て金具と、対向する２辺を前後に位置させこの２辺間の水平部を床下通気口内の上面に位置させるように設けたバネ性を有する板材からなるコの字形状の取付金具と、この取付金具の前記対向する２辺の前脚部および後脚部に挿入して前後方向に移動自在に設け、前記床下通気口の屋外側から回転することにより前記水平部を外方に湾曲させ前記床下通気口内壁面を押圧する操作ボルトとで構成することにより、床下通気口に突っ張り部材を保持する作業が床下通気口の屋外側から行うことができ施工性が向上する。
【００２４】
請求項８記載の床下換気装置の発明は、建物の基礎に設けられる床下通気口の周縁近傍の屋内側壁面に一端が当接され、前記床下通気口内を通り屋外側に延設される他端が固定されて前記床下通気口に保持される床下通気口保持部材と、この床下通気口保持部材に連結され、前記床下通気口を跨ぐように前記基礎の屋外側壁面に当接されて固定される換気扇支持部材と、内部に送風手段を設け前記床下通気口より大きいフード部を有する床下換気扇本体とを備え、前記床下換気扇本体を前記床下通気口の屋外側に突出させて前記換気扇支持部材に取り付けることにより、既設の床下通気口が小形であっても、床下通気口よりも大きい床下換気扇の選択ができるので、所望の換気風量を満たす大形の床下換気扇を取り付けることができる。
【００２５】
請求項９記載の床下換気装置の発明は、建物の基礎に設けられる床下通気口の周縁近傍の屋内側壁面に一端が当接され、他端が前記床下通気口内に配置される屋内側保持部材と、前記床下通気口を跨ぐように前記基礎の屋外側壁面に当接される換気扇支持部材と、この換気扇支持部材を前記床下通気口の屋外側に固定するために、前記屋内側保持部材と前記換気扇支持部材の間に介在し、前記床下通気口内で前記屋内側保持部材と連結され、屋外側で換気扇支持部材と連結される連結部材と、内部に送風手段を設け前記床下通気口より大きいフード部を有する床下換気扇本体とを備え、前記床下換気扇本体を前記床下通気口の屋外側に突出させて前記換気扇支持部材に取り付けることにより、既設の床下通気口が小形であっても、床下通気口よりも大きい床下換気扇の選択ができるので、所望の換気風量の満たす大形の床下換気扇を取り付けることができる。
【００２６】
請求項１０記載の床下換気装置の取付方法の発明は、一端側が９０度または鋭角の角度を形成する床下通気口保持部材の他端側に形成した雄ねじ部を、換気扇支持部材に形成した開孔に通してナットで仮止めし、一体となった床下通気口保持部材および換気扇支持部材を床下通気口内に屋外側から挿入し、前記床下通気口保持部材の一端側を前記床下通気口周縁の屋内側壁面に当接させるとともに前記換気扇支持部材を前記床下通気口を跨ぐように屋外側壁面に当接させた状態で、前記雄ねじ部に螺合するナットを締め付けて、建物の基礎を前記床下通気口保持部材の一端側と前記換気扇部材で挟み込んで前記換気扇支持部材を前記屋外側壁面に固定し、前記換気扇支持部材に形成した取付ねじ孔に屋外から床下換気扇本体を取付ねじ等により螺合して取り付けることにより、床下通気口保持部材および換気扇支持部材を屋外で組み立ててから、床下通気口内に挿入し、屋外側からナットの締め付けにより床下通気口に強固に固定できるので、施工性が格段に向上する。
【００２７】
請求項１１記載の床下換気装置の取付方法の発明は、一端側が９０度または鋭角の角度を形成する屋内側保持部材の他端側に形成した雄ねじ部を、連結部材の一方に形成した開孔に通してナットで仮止めし、前記連結部材の他方をボルト等により換気扇支持部材に取り付け、一体となった屋内側保持部材、連結部材、および換気扇支持部材を床下通気口内に屋外側から挿入し、前記屋内側保持部材の一端側を前記床下通気口周縁の屋内側壁面に当接させるとともに前記換気扇支持部材を前記床下通気口を跨ぐように屋外側壁面に当接させた状態で、前記雄ねじ部に螺合するナットを締め付けて、建物の基礎を前記屋内側保持部材の一端側と前記換気扇支持部材で挟み込んで前記換気扇支持部材を前記屋外側壁面に固定し、前記換気扇支持部材に形成したねじ孔に屋外から床下換気扇本体をねじ等により螺合して取り付けることにより、屋内側保持部材、連結部材、および換気扇支持部材を屋外で組み立ててから、床下通気口内に挿入し、床下通気口内でのナットの締め付けにより床下通気口に固定できるので、床下通気口の屋内側壁面に当接する屋内側保持部材の位置を微調整するのが容易であり、床下通気口へのより強固な施工が可能となる。
【００２８】
以下、本発明の実施の形態について、図１〜図１１を参照しながら説明する。
【００２９】
（実施の形態１）
図１に示すように、建物の基礎１に設けられる床下通気口２の周縁近傍の屋内側壁面３に略Ｌ字状に形成される一端４を当接し、この一端４から床下通気口２内を通り屋外側に他端５を延設する床下通気口保持部材６と、この床下通気口保持部材６の雄ねじ部を有する他端５が挿通されるねじ孔を有し、床下通気口２の周縁の屋外側壁面１２に当接して床下通気口２を跨ぐように橋渡しし、床下通気口保持部材６の他端５をうちわナット１３で螺合して締め付けることにより床下通気口２に固定される換気扇支持部材７とを備えた床下換気扇取付部材を構成する。
【００３０】
そして、床下通気口２に固定された換気扇支持部材７の両端側に取付ねじ孔を設け、床下換気扇８のフード部９の端部から外方に突出するフランジ部９ａに取付ねじ挿通孔を設け、取付ねじ孔と取付ねじ挿通孔を合わせるようにして屋外に突出させて床下換気扇８を換気扇支持部材７に設定し、屋外から取付ねじ１４を取付ねじ孔に螺合して締め付けることにより床下換気扇８を床下換気扇取付部材に取り付ける構成とする。床下換気扇８はフード部９で覆われ、その内部にモータ１１により駆動されるファン１０を備えている。ファン１０のファン径は床下通気口２の高さ、横幅のいずれにも制約されない大きさのものが使用でき、換気風量または送風風量を大きくしたい場合には床下通気口２の大きさに対して非常に大径にすることが可能である。したがって、床下換気扇８本体の大きさも床下通気口２の大きさに制約を受けない大きさのものが取り付けられる。
【００３１】
また、図２および図３に示すように、図１の床下通気口保持部材６に相当する部材を、屋内側保持部材１５と連結部材１７で構成してもよい。図１と同符号のその他の構成要素については、図１と同様のものでありその説明は省略する。この構成においては、建物の基礎１に設けられる床下通気口２の周縁近傍の屋内側壁面３に屋外側保持部材１５の略Ｌ字状に形成される一端４が当接し、この一端４から床下通気口２内を通る他端１６が床下通気口２内に配置され、他端１６が挿通される挿通孔を有する連結部材１７は一端４に螺合するうちわナット１３を締めることにより屋内側保持部材１５と連結され、床下通気口２の周縁の屋外側壁面１２に当接して床下通気口２を跨ぐように橋渡しする換気扇支持部材７Ａに設けたねじ挿通孔に挿通するねじ１８を連結部材１７の前面に設けたねじ孔に螺合し、屋内側保持部材１５、連結部材１７、および換気扇支持部材７Ａを一体にして、さらにうちわナット１３を締め付けることで、屋内側保持部材１５の略Ｌ字状の一端４と連結部材１７との距離が短くなり、床下通気口２に強固に固定されることとなる。
【００３２】
また、図４に示すように、換気扇支持部材７Ｂと屋外側壁面１２との間には、床下換気扇８のフード部９の外方に突出するフランジ部９ａが合致する形状の取付枠２０を仮止めして介在させ、取付枠２０前面に数箇所形成された段落ち部分に換気扇支持部材７Ｂの裏面側の両端をあてがい、うちわナット１３を締め付け、一体となった屋内側保持部材１５、連結部材１７、および換気扇支持部材７Ｂを床下通気口２に固定することで換気扇支持部材７Ｂにより取付枠２０は挟み込まれるように構成してもよい。そして、取付枠２０前面の段落ち部分に納まった換気扇支持部材７Ｂの両端は、取付枠２０の段落ち部分以外の面と面一に形成され、フランジ部９ａに形成した取付挿通孔と取付枠２０に複数箇所形成した取付ねじ孔２０ａとを合致させて取付ねじ１４で取付ねじ孔２０ａを螺合し、床下換気扇を屋外側に突設させて取り付ける。
【００３３】
また、換気扇支持部材７Ｂには、所定間隔を空けた複数のねじ挿通孔１９または長孔（図示せず）を設けている。連結部材１７と連結するために適切なねじ挿通孔１９を複数個の中から選択したり、長孔の任意の位置にねじ１８を締め付けたりすることで床下通気口２に対してずらした位置に換気扇支持部材７Ｂを取り付けることが可能となる。例えば、床下通気口２に対してほぼ上下対象な位置に換気扇取付部材７Ａを取り付ける場合は、図５に示すような位置にねじ１８が螺合され、図６に示すように、基礎に形成された床下通気口２Ａの上方に建物の外壁やサイディング２１が設けられている場合は、換気扇支持部材７Ｂを床下通気口２Ａの左右に橋渡しするように取り付ける必要があるので、複数個のねじ挿通孔１９の中からねじ１８を螺合させるのに適切なねじ挿通孔１９を選択することができる。床下通気口は建物によってさまざまな大きさ、形状があるため、床下通気口に床下換気扇を取り付けることが困難な場合や、床下通気口のすぐそばにサイディングや外壁が設けられていて基礎の屋外側壁面１２との段差がある場合は、換気扇支持部材の位置を床下通気口に対してずらして取り付けることで床下通気口をはつり工事などにより拡張することのない床下換気扇の施工が実現できることとなる。
【００３４】
本発明の床下通気口保持部材６または屋内側保持部材１５は、床下通気口２の屋内側壁面３と当接して強固に固定されるものであればよく、その個数は図３に示されるように２個に限られるものではない。すなわち、床下通気口２の屋内側壁面３に確実に保持されて脱落することのないように構成する趣旨であるため、床下通気口２の屋内側壁面３との当接部が１箇所であっても、例えば、床下通気口２の周縁の屋内側壁面３に対する保持力が発揮できるように床下通気口２の二辺以上と当接するような屋内側端部を有する床下通気口保持部材または屋内側保持部材であっても同様の作用効果を有する。
【００３５】
また、床下通気口保持部材６または屋内側保持部材１５のＬ字状に形成される一端４は、具体的には９０度または鋭角の曲がり部を有し、うちわナット１３の締め付けによって、Ｌ字状に形成される一端４は屋外側に引きつけられ、鋭角の曲がり部を有する場合はその先端部が屋内側壁面３にくいつき、ある程度めり込むように保持され、９０度の曲がり部を有する場合には、その先端から曲がり部にかけての部分が屋内側壁面３にくいつき保持されることとなる。
【００３６】
このように構成される床下通気口保持部材６または屋内側保持部材１５は、施工する者が、床下通気口保持部材６の他端５、または屋内側保持部材１５の他端１６を屋外側から操作することにより、Ｌ字状に形成される一端４を屋内側壁面３にあてがった状態で、うちわナット１３を締め付けて一端４を屋内側壁面３にくいつかせて保持させることができるという効果を有する。すなわち、施工する者が屋外側から屋内側に手を差し入れるなどして床下通気口保持部材６または屋内側保持部材１５の位置合わせをしなくてもよく、一般に低い位置にあったり、狭い開口であったりする床下通気口２に床下換気扇を取り付けるという施工性が格段に向上することである。
【００３７】
なお、うちわナット１３は、雄ねじ部を有する床下通気口保持部材６または屋外側保持部材１５に螺合し、これらと連結する換気扇支持部材７、７Ａ、７Ｂまたは連結部材１７に固定できるものであれば他の形態でもよく、例えば、モンキーレンチ、スパナ、ラチェットレンチなどの工具で締め付けることになる六角ナットでもよい。
【００３８】
次に、本発明の床下換気扇取付部材を使用して床下換気扇本体を取り付ける床下換気装置の取付方法について説明する。
【００３９】
図１に示す床下換気装置は以下の取付方法によって取り付けられる。一端４側が９０度または鋭角の角度を形成する床下通気口保持部材６の他端５側に形成した雄ねじ部を、換気扇支持部材７に形成した開孔に通してうちわナット１３で仮止めし、一体となった床下通気口保持部材６および換気扇支持部材７を床下通気口２内に屋外側から挿入し、床下通気口保持部材６の一端４側を床下通気口２周縁の屋内側壁面３に当接させるとともに換気扇支持部材７を床下通気口２を跨ぐように屋外側壁面１２に当接させた状態で、雄ねじ部に螺合するうちわナット１３を締め付けて、建物の基礎１を床下通気口保持部材６の一端４側と換気扇部材７で挟み込んで換気扇支持部材７を屋外側壁面３に固定し、換気扇支持部材７に形成した取付ねじ孔に屋外から床下換気扇８本体を取付ねじ１４等により螺合して取り付ける。この取付方法により、床下通気口保持部材６および換気扇支持部材７を屋外で組み立ててから、床下通気口２内に挿入し、屋外側からのうちわナット１３の締め付けにより床下通気口２に強固に固定できるので、施工性が格段に向上する。
【００４０】
図２および図３に示す床下換気装置は以下の取付方法によって取り付けられる。一端４側が９０度または鋭角の角度を形成する屋内側保持部材１５の他端１６側に形成した雄ねじ部を、連結部材１７の一方に形成した開孔に通してうちわナット１３で仮止めし、連結部材１７の他方をボルト等により換気扇支持部材７Ａに取り付け、一体となった屋内側保持部材１５、連結部材１７、および換気扇支持部材７Ａを床下通気口２内に屋外側から挿入し、屋内側保持部材１５の一端４側を床下通気口２周縁の屋内側壁面３に当接させるとともに換気扇支持部材７Ａを床下通気口２を跨ぐように屋外側壁面１２に当接させた状態で、雄ねじ部に螺合するうちわナット１３を締め付けて、建物の基礎１を屋内側保持部材１５の一端４側と換気扇支持部材７Ａで挟み込んで換気扇支持部材７Ａを屋外側壁面１２に固定し、換気扇支持部材７Ａに形成した取付ねじ孔に屋外から床下換気扇８本体を取付ねじ１４等により螺合して取り付けることにより、屋内側保持部材１５、連結部材１７および換気扇支持部材７Ａを屋外で組み立ててから、床下通気口２内に挿入し、床下通気口２内でのうちわナット１３の締め付けにより床下通気口２に固定できるので、床下通気口２の屋内側壁面３に当接する屋内側保持部材１５の位置を微調整するのが容易であり、床下通気口２へのより強固な施工が可能となる。
【００４１】
このように本発明の実施の形態１の床下換気扇取付部材によれば、建物の基礎１に設けられる床下通気口２の周縁近傍の屋内側壁面３に一端が当接され、床下通気口２内を通り屋外側に延設される他端５が固定されて床下通気口２に保持される床下通気口保持部材６と、この床下通気口保持部材６と連結され、床下通気口２を跨ぐように基礎の屋外側壁面３に当接されて固定されるとともに、床下通気口２の屋外側に突出する床下換気扇８を支持する換気扇支持部材７とを備えることにより、既存の床下通気口を拡張する工事を必要とせずそのまま利用できるので施工性がよく、床下通気口の大きさに制約されない所望の性能を有する床下換気扇を使用することができる。また、床下通気口保持部材が床下通気口の屋外側まで延設されているので、床下通気口の屋内側壁面にその一端を当接させて床下通気口保持部材を床下通気口に保持することが、床下通気口保持部材を床下通気口の屋外側で操作することで可能となり、施工する者が床下通気口の屋内側にまで手を伸ばす必要がなくなる。
【００４２】
また、本発明の床下換気扇取付部材の発明は、建物の基礎１に設けられる床下通気口２の周縁近傍の屋内側壁面３に一端４が当接され、他端１６が床下通気口２内に配置される屋内側保持部材１５と、換気扇支持部材７Ａを床下通気口２の屋外側に固定するために、屋内側保持部材１５と換気扇支持部材７Ａの間に介在し、床下通気口２内で屋内側保持部材１５と連結され、屋外側で換気扇支持部材７Ａと連結される連結部材１７とを備えたので、床下通気口２内で屋内側保持部材１５を連結部材１７と連結するため、床下通気口２が小さくても手を入れるだけのスペースがあれば床下換気扇取付部材の施工が可能であり、屋内側保持部材１５と連結部材１７の連結部分が床下通気口２の屋外側に突出して床下換気扇８の取付に障害となることがない。
【００４３】
また、本発明の床下換気装置は、床下通気口保持部材６と換気扇支持部材７からなる床下換気扇取付部材を用いて、内部にモータ１１とファン１０からなる送風手段を設け床下通気口２より大きいフード部９を有する床下換気扇８本体を床下通気口２の屋外側に突出させて換気扇支持部材７に取り付けることにより、既設の床下通気口が小形であっても、床下通気口よりも大きい床下換気扇の選択ができるので、所望の換気風量の満たす大形の床下換気扇を取り付けることができる。
【００４４】
また、本発明の床下換気装置は、屋内側保持部材１５と連結部材１７と換気扇支持部材７Ａからなる床下換気扇取付部材を用いて、内部にモータ１１とファン１０からなる送風手段を設け床下通気口２より大きいフード部９を有する床下換気扇８本体とを床下通気口２の屋外側に突出させて換気扇支持部材７Ａに取り付けることにより、既設の床下通気口が小形であっても、床下通気口よりも大きい床下換気扇の選択ができるので、所望の換気風量の満たす大形の床下換気扇を取り付けることができる。
【００４５】
（実施の形態２）
図７および図８に示すように、一端２２ｂが換気扇支持部材７Ｃに摺動可能に保持され、他端２２ａが一端２２ｂの摺動に連動して開閉する突っ張り片２２を交差させて床下通気口保持部材を形成し、換気扇支持部材７Ｃに取り付けられ床下通気口２の屋外側から緩締操作する通気口固定調整ボルト２４を操作することにより、突っ張り片２２の一端２２ｂが外方に広がるとともに、他端２２ａが外方に開いて床下通気口２周縁を押し広げる力により床下通気口保持部材が床下通気口２に固定される床下換気扇取付部材を構成する。また、図１と同符号のその他の構成要素については、図１と同様のものでありその説明は省略する。通気口固定調整ボルト２４の屋内側には、交差する２つの突っ張り片２２の間に介在し、突っ張り片２２を押し広げて開放する開度調整片２３が螺合され、開度調整片２３は一端が換気扇支持部材７Ｃに固定されるガイド片２５の他端において摺動自在に保持される。また、換気扇支持部材７Ｃ、ガイド片２５、通気口固定調整ボルト２４は、図８のように左右に２個設けられ、突っ張り片２２は、略コの字形状で、その屋内側の一端が換気扇支持部材７Ｃの上方に配置される場合は屋外側の他端が下方に配置され、その屋内側の一端が換気扇支持部材７Ｃの下方に配置される場合は屋外側の他端が上方に配置されるように、２個の突っ張り片２２のそれぞれが交差して配設される。
【００４６】
なお、突っ張り片２２は床下通気口２の周縁を上下に押圧するものに限らず、床下通気口２の周縁を左右に押圧するものであっても同様の作用効果を奏するもである。突っ張り片２２が床下通気口２の周縁を押圧する場所を上下または左右のいずれかに選択することより、既設の床下通気口の位置、形状、大きさに対応した最適な床下換気扇取付部材の設置方向を選択することができる。
【００４７】
このように構成された床下換気扇取付部材を床下通気口２にセットし、屋外側から通気口固定調整ボルト２４を操作すると、通気口固定調整ボルト２４に螺合された開度調整片２３によって突っ張り片２２が上下に押し広げられ、突っ張り片２２の他端２２ａが床下通気口２の周縁を押圧し、床下通気口２に床下換気扇取付部材が固定されることとなる。
【００４８】
このように本発明の実施の形態２の床下換気扇取付部材によれば、一端２２ｂが換気扇支持部材７Ｃに摺動可能に保持され、他端２２ａが一端２２ｂの摺動に連動して開閉する突っ張り片２２を交差させて床下通気口保持部材を形成し、換気扇支持部材７Ｃに取り付けられ床下通気口２の屋外側から緩締操作する通気口固定調整ボルト２４を操作することにより、突っ張り片２２の一端２２ｂが外方に広がるとともに、他端２２ａが外方に開いて床下通気口２周縁を押し広げる力により床下通気口保持部材が床下通気口２に固定される構成としたので、床下通気口２の屋外側から通気口固定調整ボルト２４を操作することで、床下換気扇取付部材を容易に床下通気口に固定することができる。
【００４９】
（実施の形態３）
図９に示すように、雌ねじ部２６を有する回動操作部２７と、回動操作部２７を回動することで雌ねじ部２６と螺合しながら互いに突っ張り方向または反突っ張り方向に移動し伸縮量が調整できる押圧脚２８とからなり、建物の基礎１に設けられる床下通気口２の内壁面を押圧する力の調整自在な突っ張り部材と、床下通気口２内に固定される突っ張り部材と連結部材３１により連結され、床下通気口２を跨ぐように基礎１の屋外側壁面１２に当接されて固定されるとともに、床下通気口２の屋外側に突出する床下換気扇８を支持する換気扇支持部材７Ｃとを備えて床下換気扇取付部材を構成する。また、図１と同符号のその他の構成要素については、図１と同様のものでありその説明は省略する。
【００５０】
このように構成された床下換気扇取付部材を床下通気口２にセットし、屋外側から床下通気口２内に手を入れて回動操作部を操作すると、回動操作部に螺合する押圧脚２８が突っ張り方向に伸張して床下通気口２内壁面の上面３０と下面を押圧し、床下通気口２に床下換気扇取付部材が固定されることとなる。
【００５１】
このように本発明の実施の形態３の床下換気扇取付部材によれば、建物の基礎１に設けられる床下通気口２の内壁面を押圧する力の調整自在な突っ張り部材と、床下通気口２内に固定される突っ張り部材と連結され、床下通気口２を跨ぐように基礎１の屋外側壁面１２に当接されて固定されるとともに、床下通気口２の屋外側に突出する床下換気扇８を支持する換気扇支持部材７Ｃとを備えて床下換気扇取付部材を構成したので、突っ張り部材が床下通気口２内にあるため、床下通気口２が小さくても手を入れるだけのスペースがあれば床下換気扇取付部材の施工が可能となる。
【００５２】
また、突っ張り部材を、雌ねじ部２６を有する回動操作部２７と、回動操作部２７を回動することで雌ねじ部２６と螺合しながら互いに突っ張り方向または反突っ張り方向に移動し伸縮量が調整できる押圧脚２８とから構成したので、床下通気口の壁厚の制約を受けない床下換気扇取付部材が実現できる。
【００５３】
（実施の形態４）
図１０に示すように、換気扇支持部材７Ｂに連結され床下通気口２内の下面と当接する当て金具３２と、回動することにより床下通気口２内の上面３０の押圧力を調整できるボルト３４が螺合される雌ねじ部を有するボルト支持金具３３とからなり、建物の基礎１に設けられる床下通気口２の内壁面を押圧する力の調整自在な突っ張り部材と、床下通気口２内に固定される突っ張り部材と連結され、床下通気口２を跨ぐように基礎１の屋外側壁面１２に当接されて固定されるとともに、床下通気口２の屋外側に突出する床下換気扇８を支持する換気扇支持部材７Ｃとを備えて床下換気扇取付部材を構成する。また、図１と同符号のその他の構成要素については、図１と同様のものでありその説明は省略する。
【００５４】
ボルト３４には、手締め可能なうちわボルトおよび蝶ボルトや、工具締めする六角ボルトなどがある。
【００５５】
このように構成された床下換気扇取付部材を床下通気口２にセットし、屋外側から床下通気口２内に手を入れてボルト３４を締まる方向に操作すると、ボルト３４の先端が床下通気口２内の上面３０を押圧し、当て金具３２が下面を押圧することにより、突っ張り部材が床下通気口２の内壁面の上面３０と下面を押圧して床下通気口２に床下換気扇取付部材が固定されることとなる。
【００５６】
このように本発明の実施の形態４の床下換気扇取付部材によれば、換気扇支持部材７Ｂに連結され床下通気口２内の下面と当接する当て金具３２と、回動することにより床下通気口２内の上面の押圧力を調整できるボルト３４が螺合される雌ねじ部を有するボルト支持金具とから突っ張り部材を構成したので、床下通気口２の壁厚の制約を受けない床下換気扇取付部材を提供できる。
【００５７】
（実施の形態５）
図１１に示すように、換気扇支持部材７Ｂに連結されて床下通気口２内の下面と当接する当て金具３５と、対向する２辺を前後に位置させこの２辺間の水平部３６を床下通気口２内の上面３０に位置させるように設けたバネ性を有する板材からなるコの字形状の取付金具３７と、この取付金具３７の対向する２辺の前脚部３８および後脚部３９に挿入して前後方向に移動自在に設け、床下通気口２の屋外側から回転することにより水平部３６を外方に湾曲させ床下通気口２内壁面を押圧する操作ボルト４０とからなり、建物の基礎１に設けられる床下通気口２の内壁面を押圧する力の調整自在な突っ張り部材と、床下通気口２内に固定される突っ張り部材と連結され、床下通気口２を跨ぐように基礎１の屋外側壁面１２に当接されて固定されるとともに、床下通気口２の屋外側に突出する床下換気扇８を支持する換気扇支持部材７Ｃとを備えて床下換気扇取付部材を構成する。また、図１と同符号のその他の構成要素については、図１と同様のものでありその説明は省略する。
【００５８】
このように構成された床下換気扇取付部材を床下通気口２にセットし、屋外側から床下通気口２内に手を入れて操作ボルト４０を締まる方向に操作すると、前脚部３８と後脚部３９の間隔が狭くなり、水平部３６が湾曲し外方に向けて膨出して床下通気口２内の上面３０を押圧するとともに、当て金具３２が下面を押圧することにより、突っ張り部材が床下通気口２の内壁面の上面３０と下面を押圧して床下通気口２に床下換気扇取付部材が固定されることとなる。
【００５９】
このように本発明の実施の形態５の床下換気扇取付部材によれば、換気扇支持部材７Ｂに連結されて床下通気口２内の下面と当接する当て金具３５と、対向する２辺を前後に位置させこの２辺間の水平部３６を床下通気口２内の上面３０に位置させるように設けたバネ性を有する板材からなるコの字形状の取付金具３７と、この取付金具３７の対向する２辺の前脚部３８および後脚部３９に挿入して前後方向に移動自在に設け、床下通気口２の屋外側から回転することにより水平部３６を外方に湾曲させ床下通気口２内壁面を押圧する操作ボルト４０とから突っ張り部材を構成したので、床下通気口２に突っ張り部材を保持する作業が床下通気口の屋外側から行うことができ施工性が向上することとなる。
【００６０】
【発明の効果】
以上の実施例から明らかなように、本発明の床下換気扇取付部材によれば、建物の基礎に設けられる床下通気口の周縁近傍の屋内側壁面に一端が当接され、前記床下通気口内を通り屋外側に延設される他端が固定されて前記床下通気口に保持される床下通気口保持部材と、この床下通気口保持部材と連結され、前記床下通気口を跨ぐように前記基礎の屋外側壁面に当接されて固定されるとともに、前記床下通気口の屋外側に突出する床下換気扇を支持する換気扇支持部材とを備えることにより、床下通気口の大きさに制約されない所望の性能を有する床下換気扇を取り付けることができる。
【００６１】
また、建物の基礎に設けられる床下通気口の周縁近傍の屋内側壁面に一端が当接され、他端が前記床下通気口内に配置される屋内側保持部材と、換気扇支持部材を前記床下通気口の屋外側に固定するために、前記屋内側保持部材と前記換気扇支持部材の間に介在し、前記床下通気口内で前記屋内側保持部材と連結され、屋外側で換気扇支持部材と連結される連結部材とを備えたことにより、床下通気口の大きさに制約されない所望の性能を有する床下換気扇を取り付けることができる。
【００６２】
また、一端が換気扇支持部材に摺動可能に保持され、他端が前記一端の摺動に連動して開閉する突っ張り片を交差させて床下通気口保持部材を形成し、前記換気扇支持部材に取り付けられ前記床下通気口の屋外側から緩締操作する通気口固定調整ボルトを操作することにより、前記突っ張り片の前記一端が外方に広がるとともに、前記他端が外方に開いて前記床下通気口周縁を押し広げる力により床下通気口保持部材が床下通気口に固定される構成としたので、屋外側から通気口固定調整ボルトを操作することで、床下換気扇取付部材を容易に床下通気口に保持することができる。
【００６３】
また、建物の基礎に設けられる床下通気口の内壁面を押圧する力の調整自在な突っ張り部材と、前記床下通気口内に固定される突っ張り部材と連結され、前記床下通気口を跨ぐように前記基礎の屋外側壁面に当接されて固定されるとともに、前記床下通気口の屋外側に突出する床下換気扇を支持する換気扇支持部材とを備えたことにより、床下通気口が小さくても手を入れるだけのスペースがあれば床下換気扇取付部材の施工が可能である。
【００６４】
また、雌ねじ部を有する回動操作部と、この回動操作部を回動することで前記雌ねじ部と螺合しながら互いに突っ張り方向または反突っ張り方向に移動し伸縮量が調整できる押圧脚とで突っ張り部材を構成することにより、床下通気口の壁厚の制約を受けない床下換気扇取付部材が実現できる。
【００６５】
また、換気扇支持部材に連結され床下通気口内の下面と当接する当て金具と、回動することにより前記床下通気口内の上面の押圧力を調整できるボルトが螺合される雌ねじ部を有するボルト支持金具とで突っ張り部材を構成することにより、床下通気口の壁厚の制約を受けない床下換気扇取付部材が実現できる。
【００６６】
また、突っ張り部材を、換気扇支持部材に連結されて床下通気口内の下面と当接する当て金具と、対向する２辺を前後に位置させこの２辺間の水平部を床下通気口内の上面に位置させるように設けたバネ性を有する板材からなるコの字形状の取付金具と、この取付金具の前記対向する２辺の前脚部および後脚部に挿入して前後方向に移動自在に設け、前記床下通気口の屋外側から回転することにより前記水平部を外方に湾曲させ前記床下通気口内壁面を押圧する操作ボルトとで突っ張り部材を構成することにより、床下通気口に突っ張り部材を保持する作業が床下通気口の屋外側から行うことができる。
【００６７】
また、本発明の床下換気装置によれば、建物の基礎に設けられる床下通気口の周縁近傍の屋内側壁面に一端が当接され、前記床下通気口内を通り屋外側に延設される他端が固定されて前記床下通気口に保持される床下通気口保持部材と、この床下通気口保持部材に連結され、前記床下通気口を跨ぐように前記基礎の屋外側壁面に当接されて固定される換気扇支持部材と、内部に送風手段を設け前記床下通気口より大きいフード部を有する床下換気扇本体とを備え、前記床下換気扇本体を前記床下通気口の屋外側に突出させて前記換気扇支持部材に取り付けることにより、所望の換気風量を満たす大形の床下換気扇を取り付けることができる。
【００６８】
また、本発明の床下換気装置の取付方法によれば、床下通気口保持部材および換気扇支持部材を屋外で組み立ててから、床下通気口内に挿入し、屋外側からナットの締め付けにより床下通気口に強固に固定できるので、施工性が格段に向上する。
【００６９】
また、屋内側保持部材、連結部材、および換気扇支持部材を屋外で組み立ててから、床下通気口内に挿入し、床下通気口内でのナットの締め付けにより床下通気口に固定できるので、床下通気口の屋内側壁面に当接する屋内側保持部材の位置を微調整するのが容易であり、床下通気口へのより強固な施工が可能となる。
【図面の簡単な説明】
【図１】本発明の実施の形態１の床下換気扇取付部材を用いて床下換気扇本体を取り付けた状態を示す側断面図
【図２】同その他の床下換気扇取付部材を用いて床下換気扇本体を取り付けた状態を示す側断面図
【図３】同床下換気扇取付部材を用いて床下換気扇本体を取り付ける状態を示す斜視図
【図４】同床下換気扇取付部材と取付枠を用いて床下換気扇本体を取り付ける状態を示す斜視図
【図５】同床下換気扇取付部材を用いて床下換気扇本体を取り付けた状態を示す正面図
【図６】同床下換気扇取付部材を用いて床下換気扇本体を取り付けた状態のその他の例を示す正面図
【図７】本発明の実施の形態２の床下換気扇取付部材を用いて床下換気扇本体を取り付けた状態を示す側断面図
【図８】同床下換気扇取付部材を用いて床下換気扇本体を取り付ける状態を示す斜視図
【図９】本発明の実施の形態３の床下換気扇取付部材を用いて床下換気扇本体を取り付けた状態を示す側断面図
【図１０】本発明の実施の形態４の床下換気扇取付部材を用いて床下換気扇本体を取り付けた状態を示す側断面図
【図１１】本発明の実施の形態５の床下換気扇取付部材を用いて床下換気扇本体を取り付けた状態を示す側断面図
【符号の説明】
１　　　　基礎
２　　　　床下通気口
３　　　　屋内側壁面
４　　　　一端
５　　　　他端
６　　　　床下通気口保持部材
７　　　　換気扇支持部材
７Ａ　　　換気扇支持部材
７Ｃ　　　換気扇支持部材
８　　　　床下換気扇
９　　　　フード部
１２　　　屋外側壁面
１４　　　取付ねじ
１５　　　屋内側保持部材
１６　　　他端
１７　　　連結部材
２２　　　突っ張り片
２４　　　通気口固定調整ボルト
２６　　　雄ねじ部
２７　　　回動操作部
２８　　　押圧脚
２９　　　突っ張り部材
３０　　　上面
３２　　　当て金具
３３　　　ボルト支持金具
３４　　　ボルト
３５　　　当て金具
３６　　　水平部
３７　　　コの字状の取付金具
３８　　　前脚部
３９　　　後脚部
４０　　　操作ボルト
【図１】
2004144331.tif 000003
【図２】
2004144331.tif 000004
【図３】
2004144331.tif 000005
【図４】
2004144331.tif 000006
【図５】
2004144331.tif 000007
【図６】
2004144331.tif 000008
【図７】
2004144331.tif 000009
【図８】
2004144331.tif 000010
【図９】
2004144331.tif 000011
【図１０】
2004144331.tif 000012
【図１１】
2004144331.tif 000013